(57)【要約】【課題】  本発明は、複数の出力手段を有する車載機器において楽曲の再生中であってもユーザが着座している座席を変更したことに対応して当該楽曲の出力を制御できるようにする。【解決手段】  本発明は、複数のスピーカ３〜６のうちの一つをそれぞれ用いて、複数種類のうちから個々のユーザによって任意に選択された一のコンテンツを当該個々のユーザへ個別に出力する場合、複数のスピーカ３から６のうちの一つを介してコンテンツの提供を受ける個々のユーザを認証管理部５０により個別に認識し、当該個々のユーザへ提供しているコンテンツの種類をそれぞれ記憶しておき、複数のスピーカ３〜６のうちの一つを介してコンテンツの提供を受けるユーザが変更されたことを認識したときは、当該変更後のユーザに対応する種類のコンテンツを出力するようにする。【選択図】        図１
2005254928.tif 000002
【特許請求の範囲】
【請求項１】
複数の出力手段を有する車載機器であって、
上記複数の出力手段のうちの一つをそれぞれ用いて、複数種類のうちから個々のユーザによって任意に選択された一のコンテンツを当該個々のユーザへ個別に出力するコンテンツ提供手段と、
上記複数の出力手段のうちの一つをそれぞれ介して上記コンテンツの提供を受ける個々のユーザを個別に認識するユーザ認識手段と、
上記個々のユーザへ提供しているコンテンツの種類をそれぞれ記憶する記憶手段と、
上記複数の出力手段のうちの一つを介して上記コンテンツの提供を受けるユーザが変更されたことを上記ユーザ認識手段により認識したとき、上記コンテンツ提供手段を制御することにより当該変更後のユーザに対応する種類のコンテンツを出力する制御手段と
を具えることを特徴とする車載機器。
【請求項２】
上記ユーザ認識手段は、上記個々のユーザに対して予め割り当てられて登録されている所定のキーが押下されたことに応じて上記個々のユーザを個別に認識する
ことを特徴とする請求項１に記載の車載機器。
【請求項３】
上記ユーザ認識手段は、上記個々のユーザが個別に所有する非接触ＩＣカードを介して認証することにより上記個々のユーザを個別に認識する
ことを特徴とする請求項１に記載の車載機器。
【請求項４】
上記制御手段は、上記個々のユーザへ提供しているコンテンツの種類に加えて当該コンテンツの再生経過時間を記憶しておき、上記ユーザ認識手段により上記個々のユーザが変更されたことを認識したときは、当該変更後のユーザに対応する種類のコンテンツを上記再生経過時間の以降から出力する
ことを特徴とする請求項１に記載の車載機器。
【請求項５】
複数の出力手段のうちの一つをそれぞれ用いて、複数種類のうちから個々のユーザによって任意に選択された一のコンテンツを当該個々のユーザへ個別に出力する場合、上記複数の出力手段のうちの一つをそれぞれ介して上記コンテンツの提供を受ける個々のユーザを個別に認識するユーザ認識ステップと、
上記個々のユーザへ提供しているコンテンツの種類をそれぞれ記憶しておき、上記ユーザ認識ステップにより上記個々のユーザが変更されたことを認識したとき、当該変更後のユーザに対応する種類のコンテンツを出力する制御ステップと
を具えることを特徴とする車載機器の出力制御方法。
【請求項６】
複数の出力手段を有する車載機器に対して、
複数の出力手段のうちの一つをそれぞれ用いて、複数種類のうちから個々のユーザによって任意に選択された一のコンテンツを当該個々のユーザへ個別に出力する場合、上記複数の出力手段のうちの一つをそれぞれ介して上記コンテンツの提供を受ける個々のユーザを個別に認識するユーザ認識ステップと、
上記個々のユーザへ提供しているコンテンツの種類をそれぞれ記憶しておき、上記ユーザ認識ステップにより上記個々のユーザが変更されたことを認識したとき、当該変更後のユーザに対応する種類のコンテンツを出力する制御ステップと
を実行させるための出力制御プログラム。
【発明の詳細な説明】
【技術分野】
【０００１】
本発明は、車載機器に関し、例えば各座席に設けられた複数のスピーカを介してそれぞれ異なる種類の楽曲を個別に提供する用途に適用して好適なものである。
【背景技術】
【０００２】
従来、車載機器においては、運転席、助手席、後部右側座席及び後部左側座席の各座席それぞれにスピーカが設置された４チャンネル構成のものがあり、運転席近傍に設置されたオーディオユニットにより再生した４種類の楽曲をこれら４個のスピーカからそれぞれ個別に出力するようになされたものがある（例えば、特許文献１参照）。
【特許文献１】特開2003-111199公報
【発明の開示】
【発明が解決しようとする課題】
【０００３】
ところでかかる構成の車載機器においては、各座席に着座しているユーザの選択に応じたそれぞれ異なる種類の楽曲を当該各座席のスピーカから個別に出力しているものの、ユーザが着座している座席を変更した場合にまで対応することはできず、当該変更後の座席でユーザに再度楽曲を選択し直させる等の煩雑な操作を強いることになり、ユーザにとっては非常に使い勝手が悪いという問題があった。
【０００４】
本発明は以上の点を考慮してなされたもので、複数の出力手段を有する車載機器において楽曲の再生中であってもユーザが着座している座席を変更したことに対応して当該楽曲の出力を制御し得る使い勝手の優れた車載機器を提案しようとするものである。
【課題を解決するための手段】
【０００５】
かかる課題を解決するため本発明の車載機器においては、複数の出力手段のうちの一つをそれぞれ用いて、複数種類のうちから個々のユーザによって任意に選択された一のコンテンツを当該個々のユーザへ個別に出力する場合、複数の出力手段のうちの一つを介してコンテンツの提供を受ける個々のユーザを個別に認識し、当該個々のユーザへ提供しているコンテンツの種類をそれぞれ記憶しておき、複数の出力手段のうちの一つを介してコンテンツの提供を受けるユーザが変更されたことを認識したときは、当該変更後のユーザに対応する種類のコンテンツを出力するようにする。
【０００６】
これにより、出力手段のうちの一つを介してそれぞれ異なる種類のコンテンツの提供を受けているユーザが変更された場合に、変更後のユーザ自身がこれまで出力手段のうちの他の一つで提供を受けていたときと同一種類のコンテンツを変更先の出力手段のうちの一つを介して自動的に取得することができる。
【発明の効果】
【０００７】
本発明によれば、出力手段のうちの一つを介してそれぞれ異なる種類のコンテンツの提供を受けているユーザが変更された場合に、変更後のユーザ自身がこれまで出力手段のうちの他の一つで提供を受けていたときと同一種類のコンテンツを変更先の出力手段のうちの一つを介して自動的に取得することができ、かくしてユーザの使い勝手を一段と向上した車載機器、車載機器の出力制御方法及び出力制御プログラムを実現できる。
【発明を実施するための最良の形態】
【０００８】
以下、図面について、本発明の一実施の形態を詳述する。
【０００９】
（１）車載用オーディオシステムの全体構成
図１において、１は全体として本発明の車載機器としての車載用オーディオシステムを示し、オーディオ本体部２と、当該オーディオ本体部２に接続された運転席用スピーカ３又は運転席用ヘッドフォン７、助手席用スピーカ４又は助手席用ヘッドフォン８、後部右側座席用スピーカ５又は後部右側座席用ヘッドフォン９、後部左側座席用スピーカ６又は後部左側座席用ヘッドフォン１０と、当該本体部２に接続された認証管理部５０とによって構成されている。
【００１０】
なお車載用オーディオシステム１では、運転席用スピーカ３、助手席用スピーカ４、後部右側座席用スピーカ５、後部左側座席用スピーカ６を介して各座席に着座中のユーザへ音楽を出力するか、又は運転席用ヘッドフォン７、助手席用ヘッドフォン８、後部右側座席用ヘッドフォン９、後部左側座席用ヘッドフォン１０を介して各座席に着座中のユーザへ音楽を出力するかについては当該各座席に着座中のユーザの意思により決定される。
【００１１】
認証管理部５０は、運転席近傍に設けられた運転席認証部１１、助手席近傍に設けられた助手席認証部２１、後部右側座席近傍に設けられた後部右側座席認証部３１及び後部左側座席近傍に設けられた後部左側座席認証部４１により、各座席に着座する個々のユーザを個別に認証するようになされており、その認証結果を外部キーＳ１としてオーディオ本体部２へ出力するようになされている。
【００１２】
運転席認証部１１、助手席認証部２１、後部右側座席認証部３１及び後部左側座席認証部４１には、「１」〜「４」までのボタンスイッチを有するボタンスイッチ群１２、２２、３２及び４２がそれぞれ設けられており、例えば運転席に着座するＡさんによって「１」のボタンスイッチが登録された場合には、当該「１」のボタンスイッチが当該Ａさんに該当することを運転席認証部１１が認識し得、その認証結果を外部キーＳ１Ａとしてオーディオ本体部２へ出力するようになされている。
【００１３】
同様に助手席認証部２１は、助手席に着座するＢさんによって「２」のボタンスイッチが登録された場合、当該「２」のボタンスイッチが当該Ｂさんに該当することを認識し得、その認証結果を外部キーＳ１Ｂとしてオーディオ本体部２へ出力する。
【００１４】
なお、後部右側座席認証部３１及び後部左側座席認証部４１は、後部右側座席に着座するＣさん及び後部左側座席に着座するＤさんによって「３」のボタンスイッチ及び「４」のボタンスイッチが登録された場合、当該「３」のボタンスイッチがＣさんに該当し、当該「４」のボタンスイッチがＤさんに該当することを認識し得、それぞれ認証結果として外部キーＳ１Ｃ及びＳ１Ｄをオーディオ本体部２へ出力する。
【００１５】
従って認証管理部５０は、例えば運転席認証部１１において、あるユーザにより「３」のボタンスイッチが押下された場合、そのユーザがＣさんであり運転席に着座していること認識して外部キーＳ１Ｃをオーディオ本体部２へ出力し、後部右側座席認証部３１において、あるユーザによって「１」のボタンスイッチが押下された場合には、そのユーザがＡさんであり後部右側座席に着座していること認識して外部キーＳ１Ａをオーディオ本体部２へ出力するようになされている。
【００１６】
また運転席認証部１１、助手席認証部２１、後部右側座席認証部３１及び後部左側座席認証部４１には、Ａさん〜Ｄさん個人をそれぞれ認証するための非接触ＩＣカードの受信部１３、２３、３３及び４３が設けられており、当該受信部１３、２３、３３及び４３で個々の非接触ＩＣカードを読み取ってＡさん〜ＤさんのユーザＩＤ(Identification)を認識することによりＡさん〜Ｄさんのうち誰がどの座席に着座し、いずれのスピーカから楽曲の提供を受けるのかを個別に認識し得るようになされている。
【００１７】
さらに運転席認証部１１、助手席認証部２１、後部右側座席認証部３１及び後部左側座席認証部４１には、液晶ディスプレイでなる表示部１４、２４、３４及び４４が設けられており、再生中の楽曲名や再生時間及びその他の種々の内容を表示することにより、着座中のユーザに対して各種情報を通知するようになされている。
【００１８】
（２）オーディオ本体部の回路構成
図２に示すようにオーディオ本体部２は、出力制御部７３に含まれるＣＰＵ(Central Processing Unit)構成のマイクロコンピュータ７０が全体を統括制御すると共に、図示しないＲＯＭ(Read Only Memory)に格納された基本プログラムやアプリケーションプログラム（出力制御プログラムやコンテンツ提供プログラム）を図示しないＲＡＭ(Random Access Memory)上で起動することにより、通常のオーディオ再生機能及び後述する出力制御処理手順を実行するようになされている。
【００１９】
実際上、オーディオ本体部２は当該オーディオ本体部２に内蔵されたハードディスクドライブ６１のハードディスクに多数種類格納されている楽曲データを再生し、その再生データをメモリ６２を介してデータ処理部６３へ送出する。なお楽曲データの格納先としてはハードディスクだけではなくＣＤ(Compact Disc)又はＭＤ(Mini Disc)の他ブルーレイディスク等のその他種々のディスク状記録媒体であってもよい。
【００２０】
ここでハードディスクドライブ６１は、磁気ヘッドを高速に移動制御することによりほぼ同時に４チャンネル分の楽曲を再生し得るようになされており、その再生データをメモリ６２でバッファしながら後述するデータ処理部６３、音声信号生成部６４、電子ボリューム回路６５及びアンプ６６〜６９を介して車内空間に設置された運転席用スピーカ３、助手席用スピーカ４、後部右側座席用スピーカ５及び後部左側座席用スピーカ６から出力することにより、当該４チャンネル分の楽曲を途切れることなく、かつほぼ同時並列的にＡさん〜Ｄさんへ提供し得るようになされている。
【００２１】
データ処理部６３では、再生データに対して所定のフォーマットに応じた処理を施し、その処理結果を音声信号生成部６４へ送出する。音声信号生成部６４は、予め設定された例えばコンサートモード、ホールモード若しくはジャズモードのいずれかに対応する音声信号を生成し、これを電子ボリューム回路６５へ送出する。
【００２２】
電子ボリューム回路６５は、マイクロコンピュータ７０の制御に従ってアンプ６６〜６９へ音声信号を出力する。なお電子ボリューム回路６５は、マイクロコンピュータ７０の制御に従いチューナ７１で選択されたラジオ受信信号と音声信号とをセレクトし、そのセレクトした一方をアンプ６６〜６９へ出力するようにもなされている。
【００２３】
アンプ６６〜６９では、電子ボリューム回路６５から入力した音声信号をそれぞれ増幅し、これを運転席用スピーカ３、助手席用スピーカ４、後部右側座席用スピーカ５、後部左側座席用スピーカ６を介して出力することにより、各座席に着座中のユーザへ楽曲を提供する。なお、マイクロコンピュータ７０は、ミュート回路７２をコントロールすることによりアンプ６６〜６９から各スピーカ３〜６への出力を制限し得るようにもなされている。
【００２４】
さらにマイクロコンピュータ７０は、認証管理部５０から供給される外部キーＳ１（Ｓ１Ａ〜Ｓ１Ｄ）に応じて運転席用スピーカ３、助手席用スピーカ４、後部右側座席用スピーカ５、後部左側座席用スピーカ６のいずれによってどの楽曲を提供するのかを決定し、後述する出力制御処理を実行するようになされている。
【００２５】
（３）出力制御方法
具体的には、図３に示すようにマイクロコンピュータ７０は、基本的な出力制御方法（１）として、アンプ６６〜６９を介して運転席用スピーカ３、助手席用スピーカ４、後部右側座席用スピーカ５、後部左側座席用スピーカ６から全て同一の楽曲に関する音声信号ＡＤ１を出力し得るようになされている。
【００２６】
この場合、運転席用スピーカ３、助手席用スピーカ４、後部右側座席用スピーカ５、後部左側座席用スピーカ６からは全て同一の楽曲が提供されるので、各座席に着座しているＡさん〜Ｄさん全員が同じ楽曲を聴取して楽しむことができる。
【００２７】
なおマイクロコンピュータ７０は、Ａさん〜Ｄさんによって運転席用スピーカ３、助手席用スピーカ４、後部右側座席用スピーカ５、後部左側座席用スピーカ６から楽曲の提供を受けるのではなく、運転席用ヘッドフォン７、助手席用ヘッドフォン８、後部右側座席用ヘッドフォン９及び後部左側座席用ヘッドフォン１０から楽曲の提供を受けることが選択されていた場合には、当該運転席用ヘッドフォン７、助手席用ヘッドフォン８、後部右側座席用ヘッドフォン９及び後部左側座席用ヘッドフォン１０から同一の楽曲に関する音声信号ＡＤ１を出力し得るようになされている。
【００２８】
また図４に示すようにマイクロコンピュータ７０は、図３に示したように運転席用スピーカ３から当該楽曲の音声信号ＡＤ１の提供を受けている例えばＡさんが異なる種類の楽曲を選択した場合には、当該選択した異なる種類の楽曲の音声信号ＡＤ２を運転席用スピーカ３から出力すると共に、助手席用スピーカ４、後部右側座席用スピーカ５及び後部左側座席用スピーカ６からはそれまでと同一の楽曲に関する音声信号ＡＤ１を継続して出力し続けるようになされている。
【００２９】
ところで、その後もともと運転席に着座していたＡさんが休憩のため後部右側座席に着座していたＣさんと運転を代わるために座席を変更し、Ａさんが変更後の後部右側座席認証部３１で「１」のボタンスイッチを押下すると共に、Ｃさんが変更後の運転席認証部１１で「３」のボタンスイッチを押下した場合や、当該Ａさん及びＣさんがそれぞれ変更後の後部右側座席認証部３１及び運転席認証部１１で個々の非接触ＩＣカードを受信部３３及び受信部１３に翳した場合には、ＡさんとＣさんとの間で座席の変更があったことをマイクロコンピュータ７０が認識するようになされている。
【００３０】
具体的にはマイクロコンピュータ７０は、Ａさんが後部右側座席に着座して当該後部右側座席用スピーカ５から楽曲の提供を受け得る状態にあること、及びＣさんが運転席に着座して当該運転席用スピーカ３から楽曲の提供を受け得る状態にあることを認識し得るようになされている。
【００３１】
その結果、マイクロコンピュータ７０は、図５に示すようにＡさんがそれまで聴取していた楽曲の音声信号ＡＤ２（図４）を後部右側座席用スピーカ５から出力するように変更すると共に、運転席用スピーカ３からは音声信号ＡＤ２を音声信号ＡＤ１に戻し、当該運転席用スピーカ３、助手席用スピーカ４及び後部左側座席用スピーカ６からは当該音声信号ＡＤ１を出力するように変更し得るようになされている。
【００３２】
続いて、上述の出力制御方法（１）〜（３）を用いた出力制御処理手順について以下に説明する。
【００３３】
（３−１）ボタンスイッチの押下に基づく出力変更処理手順
実際上マイクロコンピュータ７０がＲＯＭに格納された出力先制御プログラムに従って行う、ボタンスイッチの押下に基づく出力制御処理手順について図６のフローチャートを用いて具体的に説明する。
【００３４】
オーディオ本体部２における出力制御部７３のマイクロコンピュータ７０は、電源が投入されるとルーチンＲＴ１の開始ステップから入ってステップＳＰ１へ移る。
【００３５】
ステップＳＰ１においてマイクロコンピュータ７０は、運転席認証部１１、助手席認証部２１、後部右側座席認証部３１及び後部左側座席認証部４１におけるボタンスイッチ群１２、２２、３２及び４２のうちＡさん〜Ｄさんのボタンスイッチ押下操作に応じたユーザ登録が行われたことを確認すると、次のステップＳＰ２へ移る。
【００３６】
ステップＳＰ２においてマイクロコンピュータ７０は、各座席においてＡさん〜Ｄさんによってそれぞれ任意に選択された楽曲の再生をハードディスクドライブ６１でほぼ同時並列的に行い、運転席用スピーカ３、助手席用スピーカ４、後部右側座席用スピーカ５及び後部左側座席用スピーカ６からそれぞれ異なる楽曲を提供し、次のステップＳＰ３へ移る。
【００３７】
ステップＳＰ３においてマイクロコンピュータ７０は、運転席認証部１１、助手席認証部２１、後部右側座席認証部３１及び後部左側座席認証部４１のボタンスイッチ群１２、２２、３２及び４２のボタンスイッチが座席変更を行ったＡさん〜Ｄさんのいずれかによって押下されたときに、当該押下に応じた外部キーＳ１Ａ〜Ｓ１Ｄが入力されたか否かについて判定する。
【００３８】
ここで否定結果が得られると、このことは外部キーＳ１Ａ〜Ｓ１Ｄのいずれも入力されておらず、Ａさん〜Ｄさん全員が座席変更を行っていないことを表しており、このときマイクロコンピュータ７０はステップＳＰ２へ戻り、それまでと同様に楽曲の再生を継続する。
【００３９】
これに対してステップＳＰ３で肯定結果が得られると、このことはＡさん〜Ｄさんのなかで座席変更があり、その座席変更を行ったユーザに割り当てられた番号のボタンスイッチが当該座席変更後の運転席認証部１１、助手席認証部２１、後部右側座席認証部３１及び後部左側座席認証部４１で押下され、それに応じた外部キーＳ１Ａ〜Ｓ１Ｄが入力されたことを表しており、このときマイクロコンピュータ７０は次のステップＳＰ４へ移る。
【００４０】
ステップＳＰ４においてマイクロコンピュータ７０は、認証管理部５０から供給された外部キーＳ１Ａ〜Ｓ１Ｄを解析することによりＡさん〜Ｄさんのうちの誰が何処の座席に変更したのかを認識し、ステップＳＰ５へ移る。
【００４１】
ステップＳＰ５においてマイクロコンピュータ７０は、座席変更前のもとの座席のスピーカから出力していた楽曲の種類及び再生経過時間をメモリ６２に記憶しておくようになされており、座席変更前のもとの座席のスピーカから出力していたのと同じ楽曲を再生経過時間以降のタイミングで出力することにより出力先の変更を行い、ステップＳＰ２へ戻る。
【００４２】
このようにマイクロコンピュータ７０は、座席変更を行ったユーザに割り当てられた番号のボタンスイッチが当該座席変更後の運転席認証部１１、助手席認証部２１、後部右側座席認証部３１又は後部左側座席認証部４１で押下されると、座席変更前のスピーカから出力していたのと同一の楽曲を座席変更後のスピーカから引き続き再生すべく制御すると共に、その出力先を座席変更前のスピーカから座席変更後のスピーカへ変更することによって、複数のユーザが座席を変更したときでも当該座席変更前と同一の楽曲を座席変更後のスピーカから出力し得るようになされている。
【００４３】
（３−２）非接触ＩＣカードによる出力制御処理手順
次に、実際上マイクロコンピュータ７０がＲＯＭに格納された出力制御プログラムに従って行う、非接触ＩＣカードによる出力制御処理手順について図７のフローチャートを用いて具体的に説明する。
【００４４】
オーディオ本体部２における出力制御部７３のマイクロコンピュータ７０は、電源が投入されるとルーチンＲＴ１の開始ステップから入ってステップＳＰ１１へ移る。
【００４５】
ステップＳＰ１１においてマイクロコンピュータ７０は、運転席認証部１１、助手席認証部２１、後部右側座席認証部３１及び後部左側座席認証部４１における受信部１３、２３、３３及び４３のうちＡさん〜Ｄさんによって翳された個々の非接触ＩＣカードに基づいてユーザ登録が行われたことを確認すると、次のステップＳＰ１２へ移る。
【００４６】
ステップＳＰ１２においてマイクロコンピュータ７０は、各座席の運転席認証部１１、助手席認識部２１、後部右側座席認証部３１及び後部左側座席認証部４１に設けられている操作ボタン（図示せず）を介してＡさん〜Ｄさんによりそれぞれ任意に選択された複数種類の楽曲の再生をハードディスクドライブ６１によりほぼ同時並列的に行い、運転席用スピーカ３、助手席用スピーカ４、後部右側座席用スピーカ５及び後部左側座席用スピーカ６からそれぞれ異なる楽曲を提供し、次のステップＳＰ１３へ移る。
【００４７】
ステップＳＰ１３においてマイクロコンピュータ７０は、運転席認証部１１、助手席認証部２１、後部右側座席認証部３１及び後部左側座席認証部４１の受信部１３、２３、３３及び４３に対して座席変更を行ったＡさん〜Ｄさんの非接触ＩＣカードがそれぞれ翳されたことに対しその非接触ＩＣカードの情報を認識したか否かについて判定する
【００４８】
ここで否定結果が得られると、このことはＡさん〜Ｄさんの非接触ＩＣカードが座席変更後の運転席認証部１１、助手席認証部２１、後部右側座席認証部３１及び後部左側座席認証部４１の受信部１３、２３、３３又は４３に対して翳されておらず、すなわちＡさん〜Ｄさん全員の誰もが座席変更をしていないことを表しており、このときマイクロコンピュータ７０はステップＳＰ１２へ戻って楽曲の再生をそのまま継続する。
【００４９】
これに対してステップＳＰ１３で肯定結果が得られると、このことはＡさん〜Ｄさんの非接触ＩＣカードが座席変更後の運転席認証部１１、助手席認証部２１、後部右側座席認証部３１及び後部左側座席認証部４１の受信部１３、２３、３３又は４３に対して翳されており、すなわちＡさん〜Ｄさんのいずれかが座席変更を行っていることを表しており、このときマイクロコンピュータ７０は次のステップＳＰ１４へ移る。
【００５０】
ステップＳＰ１４においてマイクロコンピュータ７０は、ステップＳＰ１３で非接触ＩＣカードの情報を認識した結果、それがこれまで登録されていない全く新しい新規データであるか否かを判定する。
【００５１】
ここで肯定結果が得られると、このことは非接触ＩＣカードの情報が未登録ユーザによるものであって、新たにユーザ登録する必要があることを表しており、このときマイクロコンピュータ７０は次のステップＳＰ１５へ移る。
【００５２】
ステップＳＰ１５においてマイクロコンピュータ７０は、非接触ＩＣカードから読み取った未登録ユーザによる新規データをハードディスクドライブ６１の楽曲格納領域とは異なる登録データ格納領域に記憶することによりユーザ登録を行った後、ステップＳＰ１２へ戻って座席変更のないユーザに対する楽曲の提供を継続する。
【００５３】
これに対してステップＳＰ１４で否定結果が得られると、このことは非接触ＩＣカードの情報が既にユーザ登録されたものであり、新たにユーザ登録を行う必要はないことを表しており、このときマイクロコンピュータ７０は次のステップＳＰ１６へ移る。
【００５４】
ステップＳＰ１６においてマイクロコンピュータ７０は、既にユーザ登録の済んだＡさん〜Ｄさんのいずれかによって非接触ＩＣカードが翳されており、各座席と当該非接触ＩＣカードから読み取ったユーザＩＤとの組み合わせに変化があったか否かを判定する。
【００５５】
ここで否定結果が得られると、マイクロコンピュータ７０はＡさん〜Ｄさんによる座席の変更はなかったと判断することができるので、このときステップＳＰ１２へ戻って今まで通り楽曲の提供を継続する。
【００５６】
これに対してステップＳＰ１６で肯定結果が得られると、このことはＡさん〜Ｄさんのいずれかによって座席の変更が行われたことを表しており、このときマイクロコンピュータ７０は認証管理部５０から座席変更に応じた外部キーＳ１Ａ〜Ｓ１Ｄの入力を受けた後、次のステップＳＰ１７へ移る。
【００５７】
ステップＳＰ１７においてマイクロコンピュータ７０は、認証管理部５０から入力した外部キーＳ１Ａ〜Ｓ１Ｄを解析することによりＡさん〜Ｄさんのうちの誰が何処の座席に変更したのかを認識し、ステップＳＰ１８へ移る。
【００５８】
ステップＳＰ１８においてマイクロコンピュータ７０は、座席変更前のもとの座席のスピーカから出力していた楽曲の種類及び再生経過時間をメモリ６２から読み出し、これを基に座席変更前のもとの座席のスピーカから出力していたのと同じ楽曲を再生経過時間以降のタイミングで座席変更後のスピーカから出力することにより出力先の変更を行い、ステップＳＰ１５へ移る。
【００５９】
このようにマイクロコンピュータ７０は、座席変更があったユーザにおける非接触ＩＣカードの情報を当該座席変更後の運転席認証部１１、助手席認証部２１、後部右側座席認証部３１又は後部左側座席認証部４１の受信部１３、２３、３３又は４３で認識した場合、座席変更前のスピーカから出力していたのと同一の楽曲を座席変更後のスピーカから引き続き出力すべく再生すると共に、その出力先を座席変更前のスピーカから座席変更後のスピーカへ変更することによって、ユーザが座席を変更したときでも当該ユーザに非接触ＩＣカードを翳させるだけの簡単な操作で楽曲の出力先を変更し得るようになされている。
【００６０】
（３−３）ヘッドフォンからスピーカへの出力先変更処理手順
ところでマイクロコンピュータ７０は、運転席用スピーカ３、助手席用スピーカ４、後部右側座席用スピーカ５及び後部左側座席用スピーカ６から楽曲を提供するのではなく、ユーザの選択によって運転席用ヘッドフォン７、助手席用ヘッドフォン８、後部右側座席用ヘッドフォン９及び後部左側座席用ヘッドフォン１０から楽曲を提供している場合、ある一定の条件を満たしたときに各ヘッドフォン７〜１０を介して楽曲を提供する状態から、運転席用スピーカ３、助手席用スピーカ４、後部右側座席用スピーカ５及び後部左側座席用スピーカ６の全てを介して楽曲を提供するように出力先をヘッドフォンからスピーカへ強制的に変更する出力制御処理手順について説明する。
【００６１】
図８に示すように、実際上マイクロコンピュータ７０がＲＯＭに格納されたコンテンツ提供プログラムに従って行う、ヘッドフォンからスピーカへの出力先を変更する出力制御処理手順については、ルーチンＲＴ３の開始ステップからステップＳＰ２１へ移る。
【００６２】
ステップＳＰ２１においてマイクロコンピュータ７０は、各座席においてＡさん〜Ｄさんによってそれぞれ任意に選択された異なる楽曲の再生をハードディスクドライブ６１によりほぼ同時並列的に行い、運転席用ヘッドフォン７、助手席用ヘッドフォン８、後部右側座席用ヘッドフォン９及び後部左側座席用ヘッドフォン１０からそれぞれ提供し、次のステップＳＰ２２へ移る。
【００６３】
ステップＳＰ２２においてマイクロコンピュータ７０は、ここでハードディスクドライブ６１により同時並列的に再生している楽曲が全て同一であるか否かを判定し、否定結果が得られるとステップＳＰ２１へ戻って楽曲の再生処理を継続するのに対し、肯定結果が得られると次のステップＳＰ２３へ移る。
【００６４】
ステップＳＰ２３においてマイクロコンピュータ７０は、運転席、助手席、後部右側座席及び後部左側座席においてＡさん〜Ｄさんの全員が同じ楽曲の提供を受けているので、その旨を運転席認証部１１の表示部１４、助手席認識部２１の表示部２４、後部右側座席認証部３１の表示部３４及び後部左側座席認証部４１の表示部４４を介して通知し、次のステップＳＰ２４へ移る。
【００６５】
因みにオーディオ本体部２の電源が投入され、Ａさん〜Ｄさんがハードディスクドライブ６１により楽曲を最初に再生し始めたときには同一の楽曲を再生する可能性が高く、このような場合にＡさん〜Ｄさんの全員が同じ楽曲の提供を受けているという事態が生じやすい。
【００６６】
ステップＳＰ２４においてマイクロコンピュータ７０は、運転席、助手席、後部右側座席及び後部左側座席においてＡさん〜Ｄさんの全員が同じ楽曲の提供を受けているのなら、個々のヘッドフォン７〜１０ではなく全ての運転席用スピーカ３、助手席用スピーカ４、後部右側座席用スピーカ５及び後部左側座席用スピーカ６を用いて同じ楽曲を出力した方が車内空間におけるサラウンド効果も高く快適な音響空間を提供できると判断し得るので、個々のヘッドフォン７〜１０によるヘッドフォン出力から全てのスピーカ３〜６を用いたスピーカ出力へ切り換えることの許可についてＡさん〜Ｄさんに問い合わせ、次のステップＳＰ２５へ移る。
【００６７】
ステップＳＰ２５においてマイクロコンピュータ７０は、各座席のＡさん〜Ｄさん全員よりヘッドフォン出力からスピーカ出力へ切り換えることについて承諾を得たか否かを判定し、全員から承諾を得られなかったときには否定結果を得てステップＳＰ２１へ戻りヘッドフォン出力を継続するのに対し、肯定結果が得られると次のステップＳＰ２６へ移る。
【００６８】
ステップＳＰ２６においてマイクロコンピュータ７０は、運転席用ヘッドフォン７、助手席用ヘッドフォン８、後部右側座席用ヘッドフォン９及び後部左側座席用ヘッドフォン１０からそれぞれ個別に提供していた同じ楽曲を、全ての運転席用スピーカ３、助手席用スピーカ４、後部右側座席用スピーカ５及び後部左側座席用スピーカ６を用いたスピーカ出力へ切り換え、次のステップＳＰ２７へ移って処理を終了する。
【００６９】
このときマイクロコンピュータ７０は、図９に示すようにＡさん〜Ｄさん全員が同じ楽曲の提供を受けているとはいっても、それぞれ当該同じ楽曲の再生経過時間（矢印で示す）が異なっていることも考えられ、ヘッドフォン出力からスピーカ出力へ切り換える際には、改めて同じ楽曲を最初から再生し直すようになされている。
【００７０】
なおマイクロコンピュータ７０は、図１０に示すようにヘッドフォン出力からスピーカ出力へ切り換える際、当該同じ楽曲の再生時間が最も経過していないＤさんの再生経過時のタイミングに合わせてヘッドフォン出力からスピーカ出力へ切り換えるようにしても良い。
【００７１】
仮にマイクロコンピュータ７０が、再生時間が最も経過しているＣさんのタイミングに合わせてヘッドフォン出力からスピーカ出力へ切り換えた場合には、Ａさん、Ｂさん及びＣさんにとっては聴取できなかった部分が発生することになるが、Ｄさんの再生経過時のタイミングに合わせることにより、Ａさん〜Ｃさんにとっては重複して聴取する楽曲の部分が僅かに発生するものの、Ｄさんにとっては聴取できない部分が発生することがなく、全員に対して楽曲全部を欠けることなく提供することができる。
【００７２】
（４）動作及び効果
以上の構成において、オーディオ本体部２のマイクロコンピュータ７０は運転席用スピーカ３、助手席用スピーカ４、後部右側座席用スピーカ５及び後部左側座席用スピーカ６を介してＡさん〜Ｄさんへ個別に提供している楽曲の種類及び再生経過時間をメモリ６２に記憶しておく。
【００７３】
そして認証管理部５０の運転席認証部１１、助手席認証部２１、後部右側座席認証部３１及び後部左側座席認証部４１では、ボタンスイッチ群１２、２２、３２及び４２のボタンスイッチに対する押下操作や、受信部１３、２３、３３及び４３に対し非接触ＩＣカードを翳す操作に応じてＡさん〜Ｄさんを個別に認識し得るようにしたことにより、当該Ａさん〜Ｄさんが座席変更を行った場合でも座席変更前後の位置関係を正確に把握することができる。
【００７４】
これによりオーディオ本体部２のマイクロコンピュータ７０は、Ａさん〜Ｄさんが座席変更を行った場合、座席変更前のスピーカから出力していた楽曲と同じ楽曲を再生経過時以降から再生して座席変更後のスピーカから出力することができるので、ユーザにとっては座席変更後に楽曲の選択を改めて行う等の煩雑な操作が不要となり、ボタンスイッチの押下操作か非接触ＩＣカードを翳すといった簡易な操作だけで座席変更前に聴取していたのと同じ楽曲を座席変更後のスピーカから自動的に聴取することができる。
【００７５】
またオーディオ本体部２のマイクロコンピュータ７０は、Ａさん〜Ｄさん全員が運転席用ヘッドフォン７、助手席用ヘッドフォン８、後部右側座席用ヘッドフォン９及び後部右側座席用ヘッドフォン９を介して同一の楽曲を聴取している場合に、当該Ａさん〜Ｄさん全員の合意を得たときに限り、これらヘッドフォン出力から運転席用スピーカ３、助手席用スピーカ４、後部右側座席用スピーカ５及び後部左側座席用スピーカ６を全て用いたスピーカ出力へ切り換えることにより、当該Ａさん〜Ｄさんが全員同じ楽曲を聴取しているときにまでヘッドフォン出力により個別に楽曲を楽しむのではなく、スピーカ出力に切り換えて当該Ａさん〜Ｄさん全員で同じ楽曲を楽しませることができる。
【００７６】
またオーディオ本体部２のマイクロコンピュータ７０は、Ａさん〜Ｄさんが同じ楽曲をヘッドフォン出力により聴取しているときには、運転席用スピーカ３、助手席用スピーカ４、後部右側座席用スピーカ５及び後部左側座席用スピーカ６を全て用いたスピーカ出力に切り換えることにより、車内空間におけるいわゆるサラウンド効果や臨場感等が期待でき、ヘッドフォン出力よりも格段に優れた音響効果をユーザに与えることができる。
【００７７】
以上の構成によれば、車載用オーディオシステム１では運転席用スピーカ３、助手席用スピーカ４、後部右側座席用スピーカ５及び後部左側座席用スピーカ６をそれぞれ介してＡさん〜Ｄさんへそれぞれ異なる楽曲を提供している場合に、Ａさん〜Ｄさんによって座席変更が行われて座席変更前のスピーカと座席変更後のスピーカとが変化したときであっても、運転席認証部１１、助手席用認証部２１、後部右側座席認証部３１及び後部左側座席認証部４１のボタンスイッチに対する押下操作又は非接触ＩＣカードを翳す操作だけでＡさん〜Ｄさんを個別に認識し得、座席変更前のスピーカから提供しているのと同じ楽曲を座席変更後のスピーカから直ちに提供することができる。
【００７８】
また車載用オーディオシステム１では、Ａさん〜Ｄさんが同じ楽曲をヘッドフォン出力により聴取しているときには、当該ヘッドフォン出力からスピーカ出力へ切り換えることにより、当該Ａさん〜Ｄさんが全員同じ楽曲を聴取しているときにはスピーカ出力により当該Ａさん〜Ｄさん全員で同じ楽曲を楽しませることができると共に、ヘッドフォン出力よりも格段に優れた音響効果を与えることができる。
【００７９】
（５）他の実施の形態
なお上述の実施の形態においては、出力手段としての運転席用スピーカ３、助手席用スピーカ４、後部右側座席用スピーカ５及び後部左側座席用スピーカ６を用いてコンテンツとしての楽曲を提供するようにした場合について述べたが、本発明はこれに限らず、複数の出力手段としてのモニタやディスプレイ等でなる表示装置を用いてラジオ、ビデオ、ゲーム等のその他種々のコンテンツを提供するようにしても良い。
【００８０】
また上述の実施の形態においては、Ａさん〜Ｄさんが各座席のスピーカを介して提供を受けている楽曲の種類及び再生経過時間をメモリ６２に記憶しておき、これらの情報を用いて楽曲の出力先を変更するようにした場合について述べたが、本発明はこれに限らず、非接触ＩＣカードを用いて個人認証を行う場合には当該Ａさん〜Ｄさんが提供を受けている楽曲の種類及び再生経過時間を座席変更前に個々の非接触ＩＣカードに記録しておき、座席変更後に当該非接触ＩＣカードからユーザＩＤと共に楽曲の種類及び再生経過時間を読み取り、これらの情報を用いて楽曲の出力先を変更するようにしても良い。
【００８１】
さらに上述の実施の形態においては、車内空間に設置された運転席用スピーカ３、助手席用スピーカ４、後部右側座席用スピーカ５及び後部左側座席用スピーカ６による４チャンネル構成の車載用オーディオシステム１を対象とするようにした場合について述べたが、本発明はこれに限らず、その多種々のチャンネル数でなる多チャンネル構成のオーディオシステムを対象とするようにしても良い。
【００８２】
さらに上述の実施の形態においては、Ａさん〜Ｄさんが運転席用ヘッドフォン７、助手席用ヘッドフォン８、後部右側座席用ヘッドフォン９及び後部左側座席用ヘッドフォン１０を介してそれぞれ同一の楽曲を聴取しているときにヘッドフォン出力からスピーカ出力へ切り換えるようにした場合について述べたが、本発明はこれに限らず、楽曲単位ではなく同一のアルバムを聴取しているときに当該アルバムの１曲目から再生し直すと共に、ヘッドフォン出力からスピーカ出力へ切り換えたり、同一のアーティストに関する楽曲を聴取しているときに当該同一のアーティストに関する共通の楽曲を再生すると共に、ヘッドフォン出力からスピーカ出力へ切り換えるようにしても良い。
【００８３】
さらに上述の実施の形態においては、Ａさん〜Ｄさんが運転席用ヘッドフォン７、助手席用ヘッドフォン８、後部右側座席用ヘッドフォン９及び後部左側座席用ヘッドフォン１０を介してそれぞれ同一の楽曲を聴取しているときであって、全員の合意が得られたときにヘッドフォン出力からスピーカ出力へ切り換えるようにした場合について述べたが、本発明はこれに限らず、必ずしも全員ではなくほぼ全員に近い合意が得られたときにヘッドフォン出力からスピーカ出力へ切り換えるようにしても良い。
【００８４】
さらに上述の実施の形態においては、マイクロコンピュータ７０がＲＯＭに予め格納された出力制御プログラム又はコンテンツ提供プログラムをＲＡＭ上に展開し、当該出力制御プログラム又はコンテンツ提供プログラムに従って上述の出力制御処理手順を実行するようにした場合について述べたが、本発明はこれに限らず、出力制御プログラム又はコンテンツ提供プログラムが格納されたプログラム格納媒体をオーディオ本体部２にインストールすることにより上述の出力制御処理手順を実行するようにしても良い。
【００８５】
さらに上述の実施の形態においては、本発明の車載機器としての車載用オーディオシステム１を、コンテンツ提供手段としてのハードディスクドライブ６１、ユーザ認識手段としてのマイクロコンピュータ７０、記憶手段としてのメモリ６２、制御手段としてのマイクロコンピュータ７０によって構成するようにした場合について述べたが、本発明はこれに限らず、その他種々の回路構成で車載機器としての車載用オーディオシステム１を構成するようにしても良い。
【産業上の利用可能性】
【００８６】
本発明の車載機器は、例えば車内空間に設置する場合だけでなく、各座席にスピーカ又はヘッドフォンが装備された電車の列車空間内や飛行機の機内空間に適用することができる。
【図面の簡単な説明】
【００８７】
【図１】本発明における車載用オーディオシステムの全体構成を示す略線的ブロック図である。
【図２】オーディオ本体部２の回路構成を示す略線的ブロック図である。
【図３】出力制御方法（１）の説明に供する略線図である。
【図４】出力制御方法（２）の説明に供する略線図である。
【図５】出力制御方法（３）の説明に供する略線図である。
【図６】ボタンスイッチの押下に基づく出力制御処理手順を示すフローチャートである。
【図７】非接触ＩＣカードによる出力制御処理手順を示すフローチャートである。
【図８】ヘッドフォンからスピーカへの出力制御処理手順を示すフローチャートである。
【図９】ヘッドフォン出力からスピーカ出力への変更パターン（１）の説明に供する略線図である。
【図１０】ヘッドフォン出力からスピーカ出力への変更パターン（２）の説明に供する略線図である。
【符号の説明】
【００８８】
１……車載用オーディオシステム、２……オーディオ本体部、３……運転席用スピーカ、４……助手席用スピーカ、５……後部右側座席用スピーカ、６……後部左側座席用スピーカ、７……運転席用ヘッドフォン、８……助手席用ヘッドフォン、９……後部右側座席用ヘッドフォン、１０……後部左側座席用ヘッドフォン、１１……運転席認証部、２１…助手席認証部、３１……後部右側座席認証部、４１……後部左側座席認証部、１２、２２、３２、４２……ボタンスイッチ群、１３、２３、３３、４３……受信部、１４、２４、３４、４４……表示部、５０……認証管理部、６１……ＨＤＤ、６２……メモリ、６３……データ処理部、６４……音声信号生成部、６５……電子ボリューム回路、６６〜６９……アンプ、７０……マイクロコンピュータ。
【図１】
2005254928.tif 000003
【図２】
2005254928.tif 000004
【図３】
2005254928.tif 000005
【図４】
2005254928.tif 000006
【図５】
2005254928.tif 000007
【図６】
2005254928.tif 000008
【図７】
2005254928.tif 000009
【図８】
2005254928.tif 000010
【図９】
2005254928.tif 000011
【図１０】
2005254928.tif 000012